(57)【要約】【課題】再生時の迷光の発生を抑制し、ＳＮ（信号雑音）比の劣化を防止することが可能な情報記録再生装置を提供する。【解決手段】記録時における参照光の情報記録媒体（透過型ディスク１１９又は反射型ディスク２１３）への入射角をθ１、再生時における参照光の情報記録媒体への入射角をθ２、再生時における参照光の情報記録媒体への再入射角をθ３とする場合、θ１≠θ２、且つ、θ１＝θ３となるように第１の偏光手段（回転ミラー１１７又はミラー２１２）及び第２の偏光手段（折り返し回転ミラー１２０又は回転ミラー２１４）を制御する。【選択図】図１
2008191330.tif 000002
【特許請求の範囲】
【請求項１】
光源と、前記光源からの光束を信号光と参照光に分岐する分岐手段と、前記参照光を情報記録媒体に向けて反射する第１の偏光手段と、前記情報記録媒体から出射した前記参照光を前記情報記録媒体に再入射させるための第２の偏光手段とを備え、
前記信号光及び参照光を前記情報記録媒体内で干渉させることで情報の記録を行い、前記第１の偏光手段により参照光を前記情報記録媒体に入射し、前記第２の偏光手段により反射された参照光を前記情報記録媒体に再入射させることで情報の再生を行う情報記録再生装置において、
記録時における前記参照光の前記情報記録媒体への入射角をθ１、再生時における前記参照光の前記情報記録媒体への入射角をθ２、再生時における前記参照光の前記情報記録媒体への再入射角をθ３とする場合、θ１≠θ２、且つ、θ１＝θ３となるように前記第１及び第２の偏光手段を制御する制御手段を有することを特徴とする情報記録再生装置。
【請求項２】
前記情報記録媒体は、透過型又は反射型記録媒体であることを特徴とする請求項１に記載の情報記録再生装置。
【発明の詳細な説明】
【技術分野】
【０００１】
本発明は、ホログラフィを利用してホログラム記録媒体に情報を記録再生する情報記録再生装置に関するものである。
【背景技術】
【０００２】
ホログラフィを利用して記録媒体に情報を記録するホログラフィック記録は、一般的に、イメージ情報をもった信号光と参照光とを記録媒体の内部で重ね合わせ、その干渉縞を記録媒体に書き込むことによって行う。情報再生時には、その記録媒体に参照光を照射することにより、干渉縞による回折によりイメージ情報を再生する。
【０００３】
近年、超高密度記録の為にボリュームホログラフィ、特にデジタルボリュームホログラフィが実用域で開発され注目を集めている。ボリュームホログラフィとは、記録媒体の厚み方向を積極的に活用して３次元的に干渉縞を書き込む方式であり、厚みを増すことで回折効率を高め、多重記録を用いて記録容量を増大できるという特徴がある。
【０００４】
デジタルボリュームホログラフィとは、ボリュームホログラフィと同様の記録媒体と記録方式を用いつつも、記録するイメージ情報は２値化したデジタルパターンに限定した、コンピュータ志向のホログラフィック記録方式である。
【０００５】
このデジタルボリュームホログラフィは、例えば、アナログ的な画のような画像情報も、一旦、デジタイズして、２次元デジタルパターン情報（ページデータ）に展開し、これをイメージ情報として記録する。再生時には、このデジタルパターン情報を読み出してデコードすることで、もとの画像に戻して表示する。
【０００６】
これによりＳＮ比（信号雑音比）が多少悪くても、微分検出を行ったり、２値化データをコード化し、エラー訂正を行ったりすることで、極めて忠実にもとの情報を再現することが可能になる。このような情報の記録再生を行う手段として、記録時に参照光及び信号光に対するホログラム記録媒体の表面の角度を僅かずつ変更することによって、同一エリアに異なる記録情報を多重記録する角度多重型ホログラム記録装置が提案されている。この公知文献として、2006 Optical Data Storage Topical Meeting Conference Proceedings MA1 page3〜5 記載の“The InPhase Professional Archive Drive OMA:Design and Function”がある（非特許文献１）。
【０００７】
（従来例１）
次に、図６、図７を用いて非特許文献１におけるホログラフィック情報記録再生装置の構成について説明する。これを従来例１とする。
【０００８】
まず、透過型ディスクを用いたホログラフィック情報記録再生装置について説明する。図６を用いて記録時の動作を説明する。
【０００９】
波長４０５ｎｍの光源（半導体レーザ等）１０１から出射した光束は、コリメータ１０２にて平行光束とされる。更に、ＨＷＰ（１／２波長板）１０３を透過し、ＰＢＳ（偏光ビームスプリッタ）１０４により記録用情報光１２２及び記録用参照光１２１に分岐する。ＰＢＳ（偏光ビームスプリッタ）１０４は光源からの光束を信号光と参照光に分岐する分岐手段である。ここで、ＨＷＰ（１／２波長板）１０３を回転させて光束の偏光方向を調整し、記録用情報光１２２及び記録用参照光１２１の強度バランスを変化させる。
【００１０】
分岐された記録用情報光１２２は、ビームエキスパンダ１０５を経てＳＬＭ（空間光変調素子）１０９に対し最適なサイズに拡大される。更に、フーリエ面での強度分布を一様にするためのフェイズマスク１０６を透過し、リレーレンズ１０７を経てＰＢＳ（偏光ビームスプリッタ）１０８で反射され、ＳＬＭ（空間光変調素子）１０９に導かれる。
【００１１】
ＳＬＭ（空間光変調素子）１０９により変調され、情報を与えられた光束は偏光方向がπ／２回転され、ＰＢＳ（偏光ビームスプリッタ）１０８を透過する。この透過光はPolytopic Filter１１１及びリレーレンズ１１２を介し、可動ＨＷＰ（１／２波長板）１１３を経て対物レンズ１１４に入射し、透過型ディスク１１９上に集光される。但し、記録時はＨＷＰ（１／２波長板）１１３にて光束の偏光方向は回転しない。
【００１２】
一方、記録用参照光１２１はＰＢＳ（偏光ビームスプリッタ）１０４を透過し、ミラー１１５及びミラー１１６にて反射され、回転ミラー１１７により所望の方向に偏向される。その後スキャナーレンズ１１８へ入射した光束は、回転ミラー１１７での偏向方向によらず透過型ディスク１１９の記録位置を通る。つまり回転ミラー１１７の回転により透過型ディスク１１９の記録位置への記録用参照光１２１の入射角を変化させることにより角度多重記録を行う。この干渉パターンを透過型ディスク１１９に対して露光することで情報を記録する。
【００１３】
次に、図７を用いて再生時の動作を説明する。波長４０５ｎｍの光源１０１から出射した光束は、コリメータ１０２にて平行光束とされる。更に、ＨＷＰ（１／２波長板）１０３を透過し、ＰＢＳ（偏光ビームスプリッタ）１０４にて光束を反射させずに透過する。この時、ＨＷＰ（１／２波長板）１０３を回転させることで光束の偏光方向を調整し、ＰＢＳ（偏光ビームスプリッタ）１０４にて反射光が発生しないように調節する。
【００１４】
更に、ミラー１１５、ミラー１１６を経由し、回転ミラー１１７で反射された光束はスキャナーレンズ１１８を経て透過型ディスク１１９を透過し、折り返し回転ミラー１２０によって同じ光路で反射される。記録時に対して反対から透過型ディスク１１９に入射した再生用参照光１２３により再生された再生光１２４は、対物レンズ１１４により平行光束となり、ＨＷＰ（１／２波長板）１１３により偏光方向がπ／２変化する。
【００１５】
所望の再生光と同時に再生された不要な再生光は、リレーレンズ１１２間において光軸に対して垂直な面内での集光位置が異なるので、所望の再生光のみを透過するPolytopic Filter１１１により不要な再生光が排除される。更にＰＢＳ（偏光ビームスプリッタ）１０８により反射され、ＣＭＯＳ（受光素子）１１０に導くことで情報を再生する。
【００１６】
（従来例２）
次に反射型ディスクを用いたホログラフィック情報記録再生装置について図８、図９、図１０を用いて説明する。これを従来例２とする。
【００１７】
図８は記録時の光学系、図９は再生時の光学系を示す図である。また図１０（ａ）は図８に示す情報を記録する際の反射型ディスク２１３に入射、出射する光束の詳細を示す図、図１０（ｂ）は図９に示す情報を再生する際の反射型ディスク２１３に入射、出射する光束の詳細を示す図である。
【００１８】
まず、図８を用いて記録時の動作を説明する。波長４０５ｎｍの光源（半導体レーザ等）２０１から出射した光束はコリメータ２０２で平行光束とされ、ＰＢＳ（偏光ビームスプリッタ）２０３へ入射する。ＰＢＳ（偏光ビームスプリッタ）２０３により記録用情報光２１６及び記録用参照光２１５に分岐する。ＰＢＳ（偏光ビームスプリッタ）２０３は光源からの光束を信号光と参照光に分岐する分岐手段である。分岐した記録用情報光２１６はＰＢＳ（偏光ビームスプリッタ）２０３を透過して、ＳＬＭ（空間光変調素子）２０４を照明する。
【００１９】
ＳＬＭ（空間光変調素子）２０４を透過した記録用情報光２１６はＰＢＳ（偏光ビームスプリッタ）２０５を透過し、リレーレンズ２０７を経由してＱＷＰ（１／４波長板）２０８へ入射する。ＱＷＰ（１／４波長板）２０８を透過した記録用情報光２１６は円偏光に変換され、対物レンズ２０９に入射する。対物レンズ２０９により記録用情報光２１６として反射型ディスク２１３に照射される。
【００２０】
また、ＰＢＳ（偏光ビームスプリッタ）２０３で反射した記録用参照光２１５はリレーレンズ２１０を経由してＱＷＰ（１／４波長板）２１１へ入射する。ＱＷＰ（１／４波長板）２１１を透過した光束は円偏光に変換されてミラー２１２で反射され、記録用参照光２１５として反射型ディスク２１３に照射される。
【００２１】
ここで、図１０（ａ）に示すように反射型ディスク２１３は、cover layer２２０、recording layer２２１、space layer２２２と反射面２２４で構成されている。記録を行う際には、記録用情報光２１６が反射型ディスク２１３内のcover layer２２０を透過し、recording layer２２１へ入射する。その場合、記録用参照光２１５は図１０（ａ）に示すように左上方より反射型ディスク２１３に入射し、cover layer２２０、recording layer２２１、space layer２２２透過して反射面２２４に到達する。
【００２２】
この時の入射角度をθ１とする。そして、記録用情報光２１６と記録用参照光２１５がrecording layer２２１内で干渉して干渉縞２１９が形成され、情報が記録される。一方、反射面２２４で反射された記録用参照光２１５はspace layer２２２、recording layer２２１、cover layer２２０を透過して出射する。この出射光は回転ミラー２１４に入射し、この時、回転ミラー２１４の角度を調整して反射型ディスク２１３に再入射しないように制御する。
【００２３】
次に、再生時の動作を図９、図１０（ｂ）を用いて説明する。図９において、波長４０５ｎｍの光源２１０から出射した光束はコリメータ２０２で平行光束とされ、ＰＢＳ（偏光ビームスプリッタ）２０３へ入射する。ＰＢＳ（偏光ビームスプリッタ）２０３に入射した光の一部は透過し、一部は反射される。その反射光はリレーレンズ２１０を経由してＱＷＰ（１／４波長板）２１１へ入射する。ＱＷＰ（１／４波長板）２１１を透過した光束は円偏光に変換され、ミラー２１２で反射され、再生用参照光２１７として反射型ディスク２１３に照射される。
【００２４】
再生用参照光２１７は図１０（ｂ）に示すように左上方より反射型ディスク２１３に入射し、cover layer２２０、recording layer２２１、space layer２２２を透過して反射面２２４に到達する。この時の入射角度をθ２とする。反射面２２４で反射された再生用参照光２１７はspace layer２２２、recording layer２２１、cover layer２２０を透過して出射する。この出射光は回転ミラー２１４で反射され、再び反射型ディスク２１３に向かって入射する。
【００２５】
この時の再入射角度をθ３とする。再度、反射面２２４で反射された再生用参照光２１７が、情報が記録された干渉縞２１９に照射されると再生光２１８が出射する。反射型ディスク２１３から出射した再生光２１８は対物レンズ２０９、ＱＷＰ（１／４波長板）２０８を透過して偏光となった後にリレーレンズ２０７を経由してＰＢＳ（偏光ビームスプリッタ）２０５に入射する。ＰＢＳ（偏光ビームスプリッタ）２０５で反射された再生光２１８はＣＭＯＳ（受光素子）２０６上に結像され、情報が再生される。
【００２６】
なお、再生時には、ＰＢＳ（偏光ビームスプリッタ）２０３の透過光がＰＢＳ（偏光ビームスプリッタ）２０５を透過し、対物レンズ２０９を通って反射型ディスク２１３に到達しないようにする。即ち、ＰＢＳ（偏光ビームスプリッタ）２０３、ＳＬＭ（空間光変調素子）２０４、ＰＢＳ（偏光ビームスプリッタ）２０５間に光路を遮るシャッターを設けておき（図示せず）、遮光する。光を遮るものであれば、シャッターでなくてもよい。
【非特許文献１】2006 Optical Data Storage Topical Meeting Conference Proceedings MA1 “The InPhase Professional Archive Drive OMA: Design and Function”
【発明の開示】
【発明が解決しようとする課題】
【００２７】
従来例１の透過型ディスクを用いた場合、記録時に第１の偏光手段である回転ミラー１１７によって反射された参照光の透過型ディスクへの入射角θ１と、再生時に第１の偏光手段で反射された参照光の透過型ディスクへの入射角θ２は同じ角度である。
【００２８】
また、再生時に透過型ディスクから出射した参照光が第２の偏光手段である折り返し回転ミラー１２０により透過型ディスクへ再入射する再入射角θ３も入射角θ１と同じ角度である。
【００２９】
このため、再生時に透過型ディスクに入射する参照光と透過型ディスクに再入射する参照光との光軸が合い、参照光が透過型ディスクを透過する際に迷光が発生するため、ＳＮ（信号雑音）比が劣化する。
【００３０】
一方、従来例２の反射型ディスクを用いた場合には、記録時に第１の偏光手段であるミラー２１２によって反射された参照光の反射型ディスクへの入射角θ１と、再生時に第１の偏光手段で反射された参照光の反射型ディスクへの入射角θ２は同じ角度である。（図１０（ａ）、図１０（ｂ）参照）。
【００３１】
また、再生時に反射型ディスクから出射した参照光が第２の偏光手段である回転ミラー２１４により反射型ディスクへ再入射する再入射角θ３も入射角θ１と同じ角度である。（図１０（ａ）、図１０（ｂ）参照）。
【００３２】
このため、再生時に参照光が反射型ディスクに入射する入射角θ２と、反射型ディスクへ再入射する再入射角θ３が同じ角度であると、同様に迷光が発生してしまい、ＳＮ（信号雑音）比が劣化するという問題があった。
【００３３】
本発明の目的は、再生時の迷光の発生を抑制し、ＳＮ（信号雑音）比の劣化を防止することが可能な情報記録再生装置を提供することにある。
【課題を解決するための手段】
【００３４】
本発明は、記録時における参照光の情報記録媒体への入射角をθ１、再生時における参照光の情報記録媒体への入射角をθ２、再生時における参照光の情報記録媒体への再入射角をθ３とする場合、θ１≠θ２、且つ、θ１＝θ３となるように第１及び第２の偏光手段を制御する。そうすることで、再生時において情報記録媒体に入射する参照光と、情報記録媒体に再入射する参照光とをずらし、迷光の発生を抑制する。
【発明の効果】
【００３５】
本発明によれば、透過型或いは反射型記録媒体のいずれにおいても、再生時の迷光の発生を抑制でき、ＳＮ（信号雑音）比の劣化を防止することができる。
【発明を実施するための最良の形態】
【００３６】
次に、発明を実施するための最良の形態について図面を参照して詳細に説明する。本発明は、光源である半導体レーザ（１０１、２０１に対応）と、その光源からの光束を信号光と参照光に分岐する分岐手段（偏光ビームスプリッタ１０４、２０３に対応）を含んでいる。また、参照光を情報記録媒体である透過型ディスク（情報記録媒体）１１９や反射型ディスク（情報記録媒体）２１３に向けて反射する第１の偏光手段（回転ミラー１１７、ミラー２１２に対応）を備えている。更に、情報記録媒体から出射した参照光を情報記録媒体に再入射させるための第２の偏光手段（折り返し回転ミラー１２０、回転ミラー２１４に対応）を備えている。
【００３７】
そして、本発明においては、信号光及び参照光を情報記録媒体内で干渉させることで情報の記録を行い、前記第１の偏光手段により参照光を情報記録媒体に入射し、第２の偏光手段により反射された参照光を情報記録媒体に再入射させることで情報の再生を行う。
【００３８】
また、本発明の特徴は、まず、記録時における参照光の情報記録媒体への入射角をθ１、再生時における参照光の情報記録媒体への入射角をθ２、再生時における参照光の前記情報記録媒体への再入射角をθ３とする。その場合、本発明は、θ１≠θ２、且つ、θ１＝θ３となるように第１及び第２の偏光手段を制御する制御手段を有することにある。
【００３９】
（第１の実施形態）
図１、図２を用いて本発明の第１の実施形態について説明する。本実施形態で用いる情報記録媒体は透過型ディスクである。図１は情報記録時の光学系、図２は情報再生時の光学系の構成を示す。なお、図１、図２では主に光学系の構成を示しており、その他の情報を記録する回路、再生する回路、サーボ制御を行う回路、装置の各部を制御する制御回路、ディスクを駆動する回路や機構等に関しては省略している。
【００４０】
本実施形態において、記録時や再生時における基本的な構成や動作は図６、図７に示す従来例１と同様である。そのため、図１、図２では図６、図７と同一部分には同一符号を付して説明を省略する。
【００４１】
本実施形態では、再生時における再生用参照光１２３の透過型ディスク１１９への入射角度θ２と、記録時における記録用参照光１２１の透過型ディスク１１９への入射角度θ１とが、違う角度、即ち、θ１≠θ２が成り立つように回転ミラー１１７を制御する。回転ミラー１１７は第１の偏光手段とする。
【００４２】
具体的には、記録時において回転ミラー１１７は図１に示す状態とし、再生時には図２に示すように図示しないモータ等の駆動力により回転ミラー１１７を回転させる駆動手段を用いて回転ミラー１１７を矢印方向に回転させて、入射角度θ２を変化させる。この制御により、θ１≠θ２が成り立つようにする。駆動手段の制御は図示しない制御回路（制御手段）により行う。
【００４３】
また、再生時に折り返し回転ミラー１２０にて反射され、記録時に対して反対側から透過型ディスク１１９に再入射する再生用参照光１２３の入射角度をθ３とする。この入射角度θ３と、記録時における記録用参照光１２１の透過型ディスク１１９への入射角度θ１とが同じ角度、即ち、θ１＝θ３となるように折り返し回転ミラー１２０を制御する。折り返し回転ミラー１２０は第２の偏光手段とする。
【００４４】
具体的には、記録時において折り返し回転ミラー１２０は図１に示す状態とし、再生時には図２に示すように図示しないモータ等の駆動力により折り返し回転ミラー１２０を回転させる駆動手段を用いて折り返し回転ミラー１２０を矢印方向に回転させる。そして、θ１＝θ３がθ１≠θ２と同時に成り立つようにする。駆動手段の制御は同様に図示しない制御回路（制御手段）により行う。
【００４５】
ここで、記録時に回転ミラー１１７によって透過型ディスク１１９に入射する参照光の入射角θ１と、再生時に折り返し回転ミラー１２０によって透過型ディスク１１９に再入射する参照光の入射角θ３との関係は、θ１＝θ３を満足する必要がある。θ１＝θ３を満足することで再生光１２４が出射し、情報再生が可能となる。
【００４６】
同時にθ１≠θ２を満足することは、再生時に回転ミラー１１７によって透過型ディスク１１９に入射する参照光の入射角θ２と、折り返し回転ミラー１２０によって透過型ディスク１１９に再入射する参照光の入射角θ３とが異なることを意味する。
【００４７】
つまり、図２から分かるように回転ミラー１１７によって透過型ディスク１１９に入射する参照光の光軸と、透過型ディスク１１９に再入射する参照光の光軸とをずらしている。そのため、再生時における迷光の発生を抑制でき、ＳＮ（信号雑音）比の劣化を防止することが可能となる。
【００４８】
なお、本実施形態では、入射角θ１〜θ３は透過型ディスク１１９の記録面に対して垂直な軸に対する各光束の角度としている。これは、透過型ディスク１１９の記録面に対する角度としても良い。
【００４９】
（第２の実施形態）
図３、図４及び図５を用いて本発明の第２の実施形態を説明する。本実施形態の情報記録媒体は反射型ディスクである。図３は情報記録時の光学系、図４は情報再生時の光学系を示す。また、図５（ａ）は図３の情報を記録する際の反射型ディスク２１３に入射、出射する光束の詳細、図５（ｂ）は図４の情報を再生する際の反射型ディスク２１３に入射、出射する光束の詳細を示す。
【００５０】
本実施形態の基本的な構成や動作は図８、図９及び図１０に示す従来例２と同様である。そのため、図３、図４、図５では図８、図９、図１０と同一部分には同一符号を付して説明を省略する。なお、図３、図４では同様に主に光学系の構成を示しており、その他の情報を記録する回路、再生する回路、サーボ制御を行う回路、装置の各部を制御する制御回路、ディスクを駆動する回路や機構等に関しては省略している。
【００５１】
本実施形態では、図５（ｂ）に示すように再生時における再生用参照光２１７の反射型ディスク２１３への入射角度θ２と、図５（ａ）に示すように記録時における記録用参照光２１５の反射型ディスク２１３への入射角度θ１とが違う角度となるように制御する。即ち、θ１≠θ２が成り立つようにミラー２１２を制御する。ミラー２１２は第１の偏光手段とする。
【００５２】
具体的には、記録時においてミラー２１２は図３に示す状態とし、再生時には図４に示すようにミラー２１２を図示しないモータ等の駆動力によって回転させる駆動手段を用いてミラー２１２を矢印方向に回転させ、θ１≠θ２が成り立つようにする。駆動手段の制御は図示しない制御回路（制御手段）で行う。
【００５３】
また、図５（ｂ）に示すように再生時には反射面２２４で反射された再生用参照光２１７はspace layer２２２、recording layer２２１、cover layer２２０を透過し、回転ミラー２１４に入射する。その際、図５（ｂ）に示すように回転ミラー２１４によって反射型ディスク２１３に再入射する時の再入射角度θ３が、図５（ａ）に示すように記録時における記録用参照光２１５の反射型ディスク２１３への入射角度θ１と同じ角度となるようにする。即ち、θ１＝θ３が、θ１≠θ２と同時に成り立つように回転ミラー２１４を制御する。回転ミラー２１４は第２の偏光手段とする。
【００５４】
具体的には、記録時には回転ミラー２１４は図３に示す状態とする。再生時には図４に示すように回転ミラー２１４を図示しないモータ等の駆動力によって回転させる駆動手段を用いて回転ミラー２１４を矢印方向に回転させ、θ１＝θ３がθ１≠θ２と同時に成り立つようにする。駆動手段の制御は同様に図示しない制御回路（制御手段）で行う。
【００５５】
本実施形態においても、記録時にミラー２１２によって反射型ディスク２１３に入射する参照光の入射角θ１と、再生時に回転ミラー２１４によって反射型ディスク１１９に入射する参照光の入射角θ３は、θ１＝θ３の関係を満足する。θ１＝θ３を満足することで再生光２１８が出射し、情報再生が可能となる。
【００５６】
また、同時にθ１≠θ２を満足する。つまり、再生時にミラー２１２によって反射型ディスク２１３に入射する参照光の入射角θ２と、回転ミラー２１４によって反射型ディスク２１３に再入射する参照光の入射角θ３とが異なる。
【００５７】
そのため、図５（ｂ）から分かるように再生時にミラー２１２によって反射型ディスク２１３に入射する参照光と、回転ミラー２１４によって反射型ディスク２１３に再入射する参照光とがずれてしまう。従って、再生時における迷光の発生を抑制でき、ＳＮ（信号雑音）比の劣化を防止することが可能となる。
【００５８】
なお、本実施形態では、各入射角θ１〜θ３は反射型ディスク２１３の記録面に対して垂直な軸に対する各光束の角度としている。これは、同様に反射型ディスク２１３の記録面に対する角度としても良い。
【図面の簡単な説明】
【００５９】
【図１】本発明に係る情報記録再生装置の第１の実施形態（透過型ディスク）の記録時の構成を示す図である。
【図２】本発明の第１の実施形態の再生時の構成を示す図である。
【図３】本発明に係る情報記録再生装置の第２の実施形態（反射型ディスク）の記録時の構成を示す図である。
【図４】本発明の第２の実施形態の再生時の構成を示す図である。
【図５】本発明の第２の実施形態の記録時と再生時に反射型ディスクに入射、出射する光束を示す図である。
【図６】透過型ディスクを用いた従来例１の記録時の光学系を示す図である。
【図７】透過型ディスクを用いた従来例１の再生時の光学系を示す図である。
【図８】反射型ディスクを用いた従来例２の記録時の光学系を示す図である。
【図９】反射型ディスクを用いた従来例２の再生時の光学系を示す図である。
【図１０】従来例２において記録時及び再生時に反射型ディスクに入射、出射する光束を示す図である。
【符号の説明】
【００６０】
１０１  光源
１０２  コリメータ
１０３、１１３  ＨＷＰ（１／２波長板）
１０４、１０８  ＰＢＳ（偏光ビームスプリッタ）
１０５  ビームエキスパンダ
１０６  フェイズマスク
１０７、１１２  リレーレンズ
１０９  ＳＬＭ（空間光変調素子）
１１０  ＣＭＯＳ（受光素子）
１１１  Polytopic Filter
１１４  対物レンズ
１１５、１１６  ミラー
１１７  回転ミラー
１１８  スキャナーレンズ
１１９  透過型ディスク
１２０  折り返し回転ミラー
１２１  記録用参照光
１２２  記録用情報光
１２３  再生用参照光
１２４  再生光
２０１  光源
２０２  コリメータ
２０３、２０５  ＰＢＳ（偏光ビームスプリッタ）
２０４  ＳＬＭ（空間光変調素子）
２０６  ＣＭＯＳ（受光素子）
２０７、２１０  リレーレンズ
２０８、２１１  ＱＷＰ（１／４波長板）
２０９  対物レンズ
２１２  ミラー
２１３  反射型ディスク
２１４  回転ミラー
２１５  記録用参照光
２１６  記録用情報光
２１７  再生用参照光
２１８  再生光
２１９  干渉縞
２２０  cover layer
２２１  recording layer
２２２  space layer
２２３  substrate
２２４  反射面
【図１】
2008191330.tif 000003
【図２】
2008191330.tif 000004
【図３】
2008191330.tif 000005
【図４】
2008191330.tif 000006
【図５】
2008191330.tif 000007
【図６】
2008191330.tif 000008
【図７】
2008191330.tif 000009
【図８】
2008191330.tif 000010
【図９】
2008191330.tif 000011
【図１０】
2008191330.tif 000012